(57)【要約】      （修正有） 【課題】使用しない時は折りたたみ収納することで少ないスペースですみ、脱衣室を広く利用でき、キャスター付きであるため移動可能な荷台としても利用できるようにする。【解決手段】折りたたみ式カゴの構造を、横材が上段、中段、下段からなり、各長辺横材１に丁番付き立て材用留め金具１１を固着し、上段長辺横材１と中段長辺横材３間、および中段長辺横材３と下段長辺横材５間には丁番を介して板状たて材８を回転自由に接続し、中段長辺横材３の両端には回転式戸車を固定して、中段短辺横材４の内側に形成された軸方向のスリットを介して移動可能とし、上段および下段短辺横材には斜材７を取り付けるためのボルト１２を各２本ずつ設け、下段横材にはキャスター９の付いた床板材１０を固着して、さらに上段短辺横材２には取っ手１４を設けた。台車として使用するため伸縮、回転収納装置付押し棒２３を設けボルト２３ａで床板材10に固定する。【選択図】図１
2009035319.tif 000002
【特許請求の範囲】
【請求項１】
横材が上段、中段、下段からなり、各長辺横材には丁番付き立て材用留め金具が固着されており上段長辺横材と中段長辺横材間、および中段長辺横材と下段長辺横材間には丁番を介してたて材が回転自由に接続されており、中段長辺横材の両端には回転式戸車が固定され、中段短辺横材の内側に形成された軸方向のスリットを介して移動可能となっており、上段および下段短辺横材には斜材取り付け用ボルトを各２本ずつ備えており、下段横材にはキャスターの付いた床板材が固着され、上段短辺横材には取っ手を有することを特徴とする折りたたみ式カゴ。
【請求項２】
上段長辺横材に内容器留め用穴が形成されており、内容器がカゴに脱着可能となってい
ることを特徴とする請求項１の折りたたみ式カゴ。
【請求項３】
立て板材が、板状または丸形環状であることを特徴とする請求項１の折りたたみ式カゴ。
【請求項４】
内容器の側面および底面がネット状またはシ−ト状材料で作製されており、内容器の上
部枠材には上部横材の内容器止め用穴に嵌着可能な内容器留め金具および取っ手を有する
ことを特徴とする請求項１の折りたたみ式カゴ。
【発明の詳細な説明】
【技術分野】
【０００１】
本発明は、カゴ内に内容器を脱着可能で移動も可能な折りたたみ式カゴに関するものである。          
【背景技術】
【０００２】
従来の洗濯物入れカゴはおりたたみできないので家庭の脱衣室にそのままの形で置か
れている。家族の多い所は２個〜３個あり使用しない時は狭い脱衣室を益々狭くしている。
また、用途も洗濯物入れにしか使ってないのが現状である。
箱体の折りたたみ容器の例として文献１があるが単に側板を上下に分割し、内側に押し込む方法であり折りたたみ機能を有するだけであり、しかも側板が板状であるので家庭用の物干し用カゴなどに利用できるものではない。また、文献２は簡単に折りたためる材料を使用する必要があるし大きさに限度がある。また単純な折りたたみ式手提げカゴの例として文献３があるがフレームを折りたたむものであり強度の点で問題がある、側面部と底部のおりたたみが複雑になり何度か使用していると形状が変化し長持ちしない。
【特許文献１】特開平１０−７７１０１号
【特許文献２】特開２００５−２２８０８号
【特許文献３】特開平１１−１１４７２号
【発明の開示】
【発明が解決しようとする課題】
【０００３】
洗濯物入れカゴを折りたたみ式およびキャスター付きにすることにより、使用しない時は折りたたみ収納することで少ないスペースですみ、脱衣室を広く利用できるようにする。キャスター付きであるため移動可能な荷台としても利用できる。また、内容器を大、中、小と準備することで多彩な用途に展開可能にする。
【課題を解決するための手段】
【０００４】
図１で説明する。折りたたみ式カゴの構造を、横材が上段、中段、下段からなり、各長辺横材１に丁番付き立て材用留め金具１１を固着し、上段長辺横材１と中段長辺横材３間、および中段長辺横材３と下段長辺横材５間には丁番を介して板状たて材８を回転自由に接続し、中段長辺横材３の両端には回転式戸車３ａを固定して、中段短辺横材４の内側に形成された軸方向のスリット４ａを介して移動可能とし、上段および下段短辺横材には斜材７を取り付けるためのボルト１２を各２本ずつ設け、下段横材にはキャスター９付きの床板材１０を固着して、さらに上段短辺横材２には取っ手１４を設ける。カゴを組立てた後、斜材７の両端の穴を上段および下段短辺横材のボルト１２に差込み固定する。
【０００５】
また、上段横材上面には内容器留め用穴１３を形成し、内容器の上段枠材１６，１８に
は上段横材の内容器留め用穴１３に嵌着可能な内容器留め金具１６ａを設けて、内容器が
カゴに脱着可能とする。
カゴの側面の立て板材８は、板状を基本とするが丸形環状でもよい。また、色々な収納
物に対応できるように、又おりたみ収納が簡単にできるように内容器の側面および底面が
ネット状またはシ−ト状で構成されるものとする。
【発明の効果】
【０００６】
本発明のカゴは、折りたたみ式構造でかつ、キャスター付きであり、さらに大、中、小の内容器を収納可能としているため以下のような多彩な用途に利用できる。
１．スペースの節約
カゴを使用しない時は、折りたたんで収納できる又内容器もネット状、シ−ト状な
ので折たたみ収納できるため無駄なスペースがなくなり、狭い住宅空間を有効に利用
できる。
２．洗濯物入れ用途
内容器を中、小と同時にセットすることで上着、下着と分けて入れることができ、
干す時に効率が良くなる、又干す時は内容器を外し腕にかけたまま干すことができる。
３．バケツ等用途
内容器を塩化ビニール製の中、小容器を同時にセットし使用すると上水と使用済み
水と同時に溜めることができ、キャスター付きなので移動も簡単にできる。
４．台車用途
折りたたんだカゴの上部に荷物を載せバンドで固定し、カゴの下部に収納された押
し棒を使用し台車として利用できる。
５．インテリア収納用途
素材を高級化することによりリビング、ダイニング等のマガジンラック、その他収
納、ワインセラー等にも利用できる。
【発明を実施するための最良の形態】
【０００７】
図１で示すように、折りたたみ式カゴの横材を上段、中段、下段から構成し、各長辺横材にはＳＵＳ製丁番付き立て材用留め金具１１を固着し、上段長辺横材１と中段長辺横材３間、および中段長辺横材３と下段長辺横材５間にはＳＵＳ製丁番を介して板状たて材８を回転自由に接続し、中段長辺横材３の両端には回転式戸車３ａを固定して、中段短辺横材４の内側に形成された軸方向のスリット４ａを介して移動可能とする。中段短辺横材は中段長辺横材が両端まで移動できるようにする必要がある。そのため、スリットの長さは上段と下段横材の長さに合わせ、中段横材の長さはその分（約横材の直径の２倍）延長した長さとし、しかも両端をＬ型にするのが望ましい。その結果、中段短辺横材は中段長編横材を囲むコ型状となる。上段及び下段短辺横材には斜材７を取り付けるためのボルト１２を各２本ずつ設け、下段横材にはキャスター９付きの床板材１０を固着して、さらに上段短辺横材２には取っ手１４を設ける。カゴを組み立てた後、斜材７の両端の穴を上段および下段のボルト１２に差込み、固定する。斜材７を固定することにより立て材が固定でき、組み立後の変形を防止する。折りたたむときはボルト１２をゆるめ斜材を外し中段横材３を中央に押し上段横材を下に下げて折たたむ、上段横材上面には内容器留め用穴１３を形成し、内容器の上部枠材１６、１８には上段横材の内容器留め用穴１３に嵌着可能な内容器留め金具１６ａを設けて、内容器がカゴに脱着可能とする。カゴの側面の立て板材８は、板状を基本とするが丸形環状でもよい。また、色々な収納物に対応できるように内容器の側面および底面がネット状またはシート状で構成されるものとする。
【０００８】
例えば、内容器を中、小と２個を同時にセットすると下着、靴下、上着と分けて入れることができ干す時に種分けする手間が省ける。また、内容器を本体から外し、腕にかけながら干すことができ腰も痛くならないし、洗濯バサミをカゴの横に吊り下げれば物干しの時間が早くなる。内容器の素材は硬質塩化ビニール製を使用し大容器を取り付ければバケツとして利用でき、中、小容器と２個同時に取り付けて小容器は上水を入れ、中容器は使用済み水を入れる目的に利用できる。屋外やキャンプ場で利用する時は折りたたんだカゴの上部に荷物を載せバンドで固定し台車として利用できる。キャンプ場では内容器を替えてバケツとして、又ゴミ箱として利用もできる。カゴはキャスターを付けることで移動を可能にする。買い物カゴとしても利用でき重い物（例えばビ−ル、ミネラルウオ−タ−等）を購入し車庫から家まで運ぶのにキャスターが付いていれば移動が簡単で用が済めば折りたたむことができ非常に便利である。素材を高級化することにより室内のインテリア、例えばマガジンラックなど、にも利用できる。
【図面の簡単な説明】
【０００９】
【図１】カゴの全体図
【図２】折たたみ時のカゴ全体図
【図３】図1のＡ−Ａ断面図
【図４】横材、立材の取付け詳細図
【図５】内容器（大）のネット材仕様の全体図
【図６】内容器（大）の強化ビニ−ル材仕様の全体図
【図７】内容器（中）のネット材仕様の全体図
【図８】内容器（中）の強化ビニ−ル材仕様の全体図
【図９】内容器（小）のネット材仕様の全体図
【図１０】内容器（小）の強化ビニ−ル材仕様の全体図
【符号の説明】
【００１０】
１    上段長辺横材（木材、プラスチック材、アルミ鋼管、竹材、籐材）
２    上段短辺横材（木材、プラスチック材、アルミ鋼管、竹材、籐材）
３    中段長辺横材（木材、プラスチック材、アルミ鋼管、竹材、籐材）
３ａ  回転式戸車
４    中段短辺横材（木材、プラスチック材、アルミ鋼管、竹材、籐材）
４ａ  コの字型レ−ル
５    下段長辺横材（木材、プラスチック材、アルミ鋼管、竹材、籐材）
６    下段短辺横材（木材、プラスチック材、アルミ鋼管、竹材、籐材）
７    斜材（木材、プラスチック材、アルミ板材）
８    板状立て材（木材、プラスチック材、アルミ板材）
８ａ  丸型立て材（木材、プラスチック材、アルミ鋼管、竹材、籐材）
９    キャスタ−
９ａ  キャスタ−留めボルト
１０    床板材（木材、プラスチック板材）
１１    立て材留め金物（ＳＵＳ自由丁板番付）
１２    斜材留めＳＵＳボルト
１３    内容器留め穴あけ
１４    カゴ取っ手
１５    洗濯バサミ吊丸鋼
１５ａ  洗濯バサミ
１６    内容器Ｌ型枠（強化プラッスチック）
１６ａ  内容器留め金具
１７    内容器用取っ手
１８    内容器L型枠（ＳＵＳ製）
１９    ネット仕様内容器
２０    強化ビニ−ル仕様内容器
２１    ネット私用地容器用吊ヒモ（ワンタッチ脱着金具付）
２２    荷物固定ベルト
２３    伸縮、回転収納装置付押棒
２３ａ  押棒回転調整ボルト
【図１】
2009035319.tif 000003
【図２】
2009035319.tif 000004
【図３】
2009035319.tif 000005
【図４】
2009035319.tif 000006
【図５】
2009035319.tif 000007
【図６】
2009035319.tif 000008
【図７】
2009035319.tif 000009
【図８】
2009035319.tif 000010
【図９】
2009035319.tif 000011
【図１０】
2009035319.tif 000012